(57)【要約】【課題】  必要時に日除け機能を持たせることができるブラインドを備え、しかも、ブラインドを使用していないときの座部前後の視界をできるだけ確保できるようにしてこのブラインドを設けるとともに、ブラインドの繰り出しを容易にして、操作性の向上を図る。【解決手段】  脚部１と、脚部１に設けられ横長の座面を有した座部２と、脚部１に設けられた背もたれ部３とを備え、座部２の上方に巻き取り可能且つ座部２の上方から繰り出し可能に設けられ繰り出されて座部２の上方から背もたれ部３のある後側を覆うことのできるシート状のブラインド１１を有したブラインド装置１０と、ブラインド装置１０を座部２の上方に支持する支持部２０とを備えた。支持部２０は、ブラインド装置１０を収納する筒状のケース２１と、ケース２１を支持する支柱２５とを備えた。【選択図】図１
2018029640.tif 000002
【特許請求の範囲】
【請求項１】
脚部と、該脚部に設けられ横長の座面を有した座部と、上記脚部及び／または座部に設けられた背もたれ部とを備えたベンチにおいて、
上記座部の上方に巻き取り可能且つ該座部の上方から繰り出し可能に設けられ繰り出されて上記座部の上方から背もたれ部のある後側を覆うことのできるシート状のブラインドを有したブラインド装置と、該ブラインド装置を上記座部の上方に支持する支持部とを備えたことを特徴とするベンチ。
【請求項２】
上記ブラインド装置は、上記座部の長手方向に沿う軸線を有して該座部の上方に回転可能に保持され一方向へ回転させられて該ブラインドを巻き取り他方向へ回転させられて該ブラインドを繰り出す回転軸と、該回転軸を回転可能に保持する保持部と、上記回転軸を回転させるとともに所望の回転位置で停止可能な回転機構とを備えて構成されることを特徴とする請求項１記載のベンチ。
【請求項３】
上記回転機構は、上記回転軸を上記一方向に常時付勢するスプリングと、上記ブラインドの先端縁を引っ張ることにより上記スプリングの付勢力に抗して上記回転軸の他方向への回転を許容するとともに該回転軸を該ブラインドが繰り出された所望の回転位置で停止及び停止解除可能にするクラッチ機構とを備えて構成されることを特徴とする請求項２記載のベンチ。
【請求項４】
上記ブラインドの先端縁に軸方向に平行なロッドを設け、該ロッドに上記ブラインドを引っ張って繰り出すための紐を設け、
上記支持部を、上記座部の長手方向に沿う軸線を有して該座部の上方に設けられ上記ブラインドの上記回転軸に対する繰り出し巻き取り時に該ブラインドの通過を許容し上記ロッドの外側から内側への通過を不能にするスリットを有して上記回転軸，回転軸に巻き取られたブラインド，保持部及び回転機構を収納する筒状のケースと、該ケースを支持する支柱とを備えて構成したことを特徴とする請求項３記載のベンチ。
【請求項５】
上記ブラインド装置を、上記ケースに対して着脱可能にするとともに、上記ケースを、上記支柱に対して着脱可能にしたことを特徴とする請求項４記載のベンチ。
【請求項６】
上記ケースの両端部に、該端部を覆う着脱可能なキャップを設けたことを特徴とする請求項４または５記載のベンチ。
【請求項７】
上記支柱を、上記脚部に着脱可能に設けたことを特徴とする請求項４乃至６何れかに記載のベンチ。
【請求項８】
上記支柱を、上記背もたれ部よりも後側において一端部が上記脚部に支持されて上側に延び他端部に上記ケースが取り付けられる取付部を有して、側面から見て外側に膨出するように湾曲形成し、該支柱を一対設け、該一対の支柱を上記ブラインドの幅に対応して離間させて設けたことを特徴とする請求項４乃至７何れかに記載のベンチ。
【請求項９】
上記各支柱に、夫々、上記ブラインドの側縁を支承してガイドするガイドフランジを形成したことを特徴とする請求項８記載のベンチ。
【請求項１０】
上記一対の支柱間に、繰り出されたブラインドを支承する支承杆を架設したことを特徴とする請求項８または９記載のベンチ。
【請求項１１】
上記支承杆に上記紐が引き通されて紐をガイドするとともに該紐を結着可能なリング状部を設けたことを特徴とする請求項１０記載のベンチ。
【発明の詳細な説明】
【技術分野】
【０００１】
本発明は、主に屋外に設置されるベンチに係り、特に、日除け機能を有したベンチに関する。
【背景技術】
【０００２】
一般に、公園や広場等には、ベンチが設置されており、種々の人が利用している。ベンチとしては、脚部と、横長の座面を有した座部と、背もたれ部とを備えたものがある。ところで、このようなベンチにおいては、日差しが強い場合に、日除けがないので、使用しにくいときがあり、特に、例えば、子供や、幼児を伴った親が利用する場合、熱中症などに気を遣わなければならないので、使用には注意を要する。
【０００３】
従来、例えば、特許第２７５０２７９号公報（特許文献１）、あるいは、特許第４００５５０１号公報（特許文献２）に掲載されているような屋根付きのベンチが知られている。しかしながら、この屋根付きベンチの場合には、日除け機能を有するが、逆に、屋根が固定なので、日に当たってもらいたいときにはこれに対応できない。
【０００４】
そのため、ベンチの技術ではないが、例えば、特開平１１−９３８７号公報（特許文献３）に掲載されているリクライニングシートの技術があり、これをベンチに適用することも考えられる。図９に示すように、これは、屋外に設置されるリクライニングシート１００の背もたれ部１０１側からシート状のブラインド１０３を座部１０２の上方に適時に繰り出して、日除けを行うものである。このクライニングシート１００において、ブラインド１０３は背もたれ部１０１側に設けられたリール軸１０４に巻回されており、背もたれ部１０１側から前側に架設された左右のゴム質のロープ１０５に支持されて繰り出されて、背もたれ部１０１側から座部１０２の上方を覆うようになっている。これによれば、日に当たっても良いときにはブラインド１０３をリール軸１０４に巻き取って背もたれ部１０１側に収納し、日差しが強くなって日除けが必要なときには、ブラインド１０３を座部１０２の上方に適時に繰り出して用いることができる。
【先行技術文献】
【特許文献】
【０００５】
【特許文献１】特許第２７５０２７９号公報
【特許文献２】特許第４００５５０１号公報
【特許文献３】特開平１１−９３８７号公報
【発明の概要】
【発明が解決しようとする課題】
【０００６】
しかしながら、上記リクライニングシートの技術においては、ブラインド１０３を背もたれ部１０１側のリール軸１０４から手で座部１０２の上方へ向けて繰り出さなければならないので、上方位置の高さが高い場合に繰り出しにくく、繰り出し時の操作性が悪いという問題がある。また、背もたれ部１０１側にブラインド１０３を巻き取るリール軸１０４があるので、ブラインド１０３を使用しないときの背もたれ部１０１側の視界を悪くしているとともに、ブラインド１０３の左右を支持する左右のゴム質のロープ１０５が前側にあるので、景観を損ねているという問題もある。
【０００７】
本発明は上記の問題点に鑑みて為されたもので、必要時に日除け機能を持たせることができるブラインドを備え、しかも、ブラインドを使用していないときの座部前後の視界をできるだけ確保できるようにしてこのブラインドを設けるとともに、ブラインドの繰り出しを容易にして、操作性の向上を図ったベンチを提供することを目的とする。
【課題を解決するための手段】
【０００８】
上記の目的を達成するため、本発明のベンチは、脚部と、該脚部に設けられ横長の座面を有した座部と、上記脚部及び／または座部に設けられた背もたれ部とを備えたベンチにおいて、
上記座部の上方に巻き取り可能且つ該座部の上方から繰り出し可能に設けられ繰り出されて上記座部の上方から背もたれ部のある後側を覆うことのできるシート状のブラインドを有したブラインド装置と、該ブラインド装置を上記座部の上方に支持する支持部とを備えた構成としている。
【０００９】
これによれば、ブラインド装置は座部の上方にあるので、ブラインドを巻き取った状態の非使用時においては、座部前後の視界を損ねる事態を防止することができ、視界を確保することができる。また、この非使用時においては、座部に対する日当たりを確保することができるとともに、通気性も確保することができる。
また、日差しが強く、日除けが必要なときは、座部の上方のブラインド装置からブラインドを繰り出して、座部の上方から背もたれ部のある後側を覆うことができる。この場合、ブラインドは上方から下方へ向けて繰り出すので、下から上に向けて引出す場合に比較して、操作が容易になり、それだけ操作性を向上させることができる。ブラインドの使用時においては、日除けができるので、快適に着座することができるようになり、子供や、幼児を伴った親が利用する場合でも、安心して着座することができる。
【００１０】
そして、必要に応じ、上記ブラインド装置は、上記座部の長手方向に沿う軸線を有して該座部の上方に回転可能に保持され一方向へ回転させられて該ブラインドを巻き取り他方向へ回転させられて該ブラインドを繰り出す回転軸と、該回転軸を回転可能に保持する保持部と、上記回転軸を回転させるとともに所望の回転位置で停止可能な回転機構とを備えて構成される。これにより、ブラインドの繰り出し時には、回転機構により、ブラインドを途中の適宜の繰り出し位置に位置決めすることができる。即ち、比較的短く繰り出して、上側だけを覆うようにし、あるいは、背もたれ部の近傍まで覆うようにし、あるいはまた、背もたれ部全部を覆うこともできるようにすることができる。そのため、日差しに応じて調整することができる。
【００１１】
この場合、上記回転機構は、上記回転軸を上記一方向に常時付勢するスプリングと、上記ブラインドの先端縁を引っ張ることにより上記スプリングの付勢力に抗して上記回転軸の他方向への回転を許容するとともに該回転軸を該ブラインドが繰り出された所望の回転位置で停止及び停止解除可能にするクラッチ機構とを備えて構成されることが有効である。ブラインドの先端縁を引っ張り操作により、ブラインドの繰り出し，停止，巻き取りを行うことができるので、操作を容易にすることができる。
【００１２】
また、必要に応じ、上記ブラインドの先端縁に軸方向に平行なロッドを設け、該ロッドに上記ブラインドを引っ張って繰り出すための紐を設け、
上記支持部を、上記座部の長手方向に沿う軸線を有して該座部の上方に設けられ上記ブラインドの上記回転軸に対する繰り出し巻き取り時に該ブラインドの通過を許容し上記ロッドの外側から内側への通過を不能にするスリットを有して上記回転軸，回転軸に巻き取られたブラインド，保持部及び回転機構を収納する筒状のケースと、該ケースを支持する支柱とを備えて構成している。
【００１３】
これにより、ロッド及び繰り出されるブラインド以外のブラインド装置をケースに収納するので、ブラインドの非使用時に、ブラインドや回転機構を、雨水から保護することができる。また、外観品質も向上させることができる。更に、紐を引っ張ることで、ブラインドを所望の位置に位置させることができるので、操作性を向上させることができる。
【００１４】
この場合、上記ブラインド装置を、上記ケースに対して着脱可能にするとともに、上記ケースを、支柱に対して着脱可能にすることができる。ブラインド装置を容易に交換することができるとともに、ケースを支柱から取外すことができるので、ブラインド装置を交換する際に、作業性が容易になる。
【００１５】
また、この場合、上記ケースの両端部に、該端部を覆う着脱可能なキャップを設けた構成とすることができる。キャップを取り外して、ケース内のブラインド装置を容易に交換することができる。
【００１６】
更に、この場合、上記支柱を、脚部に着脱可能に設けることができる。ブラインド装置を長期間使用しないような場合に、支柱ごと取り外して保管することができる。
【００１７】
また、必要に応じ、上記支柱を、上記背もたれ部よりも後側において一端部が上記脚部に支持されて上側に延び他端部に上記ケースが取り付けられる取付部を有して、側面から見て外側に膨出するように湾曲形成し、該支柱を一対設け、該一対の支柱を上記ブラインドの幅に対応して離間させて設けた構成とすることができる。
支柱を背もたれ部の後側で左右に設けたので、ブラインドの非使用時の視界を確実に確保することができる。また、支柱を側面から見て外側に膨出するように湾曲形成したので、外観品質を向上させることができる。
【００１８】
そして、必要に応じ、上記各支柱に、夫々、上記ブラインドの側縁を支承してガイドするガイドフランジを形成した構成としている。ブラインドの巻き取り及び繰り出しの際にブラインドの側縁をガイドフランジで支承するので、この部位が撓むことがなく、ブラインドの移動を円滑に行わせることができるとともに、確実に座部を覆うことができる。
【００１９】
また、この場合、上記一対の支柱間に、繰り出されたブラインドを支承する支承杆を架設した構成とすることができる。ブラインドを支承杆で支承するので、この部位が撓むことがなく、確実に座部を覆うことができる。
【００２０】
更に、上記支承杆に上記紐が引き通されて紐をガイドするとともに該紐を結着可能なリング状部を設けた構成とすることができる。紐をガイドするので、ブラインドを繰り出しやすくすることができる。また、紐をリング状部に結着することができるので、ブラインドの位置決めを確実にすることができる。
【発明の効果】
【００２１】
本発明によれば、ブラインド装置は、座部の上方にあるので、ブラインドを巻き取った状態の非使用時においては、座部前後の視界を損ねる事態を防止することができ、視界を確保することができる。また、この非使用時においては、座部に対する日当たりを確保することができるとともに、通気性も確保することができる。
また、日差しが強く、日除けが必要なときは、座部の上方のブラインド装置からブラインドを繰り出して、座部の上方から背もたれ部のある後側を覆うことができる。この場合、ブラインドは上方から下方へ向けて繰り出すので、下から上に向けて引出す場合に比較して、操作が容易になり、それだけ操作性を向上させることができる。ブラインドの使用時においては、日除けができるので、快適に着座することができるようになり、子供や、幼児を伴った親が利用する場合でも、安心して着座することができる。
【図面の簡単な説明】
【００２２】
【図１】本発明の実施の形態に係るベンチを示す正面側斜視図である。
【図２】本発明の実施の形態に係るベンチにおいて、ブラインドを巻き取った状態を示す裏面側斜視図である。
【図３】本発明の実施の形態に係るベンチのブラインド装置及び支持部を示す要部分解斜視図である。
【図４】本発明の実施の形態に係るベンチのブラインド装置及び支持部を示す要部断面図である。
【図５】本発明の実施の形態に係るベンチにおいて、支持部の支柱の取付け状態を示す要部分解斜視図である。
【図６】本発明の実施の形態に係るベンチにおいて、ブラインドを比較的短く繰り出して上側だけを覆うようにした状態を示す裏面側斜視図である。
【図７】本発明の実施の形態に係るベンチにおいて、ブラインドを比較的長く繰り出して背もたれ部の近傍まで覆うようにした状態を示す裏面側斜視図である。
【図８】本発明の実施の形態に係るベンチにおいて、ブラインドを地面のあるところまで繰り出して背もたれ部全部を覆うようにした状態を示す裏面側斜視図である。
【図９】リクライニングシートにおける従来のブラインドの技術を示す斜視図である。
【発明を実施するための形態】
【００２３】
以下、添付図面に基づいて本発明の実施の形態に係るベンチについて詳細に説明する。
図１及び図２，図５乃至図８に示すように、実施の形態に係るベンチＢは、例えば、公園や広場等の屋外に設置されるもので、脚部１と、脚部１に設けられ横長の座面を有した座部２と、脚部１及び／または座部２（実施の形態では脚部１）に設けられた背もたれ部３とを備えて構成されている。座部２及び背もたれ部３は、夫々、矩形細長状の木製あるいは樹脂製の板材を複数列設して形成されている。脚部１は、左右一対設けられ、例えば、金属製の鋳物で一体形成されており、地中に構築された基礎（図示せず）にアンカーボルトなどで固定されるベース４と、ベース４に立設された立設部５と、立設部５の途中から前側に突設された突出部６とを備えて構成され、突出部６の上面に座部２の板材の端部側が支承されてボルトなどで固定され、立設部５の前面に背もたれ部３の板材の端部側が付設されてボルトなどで固定されている。
【００２４】
また、図１乃至図８に示すように、実施の形態に係るベンチＢは、ブラインド装置１０と、ブラインド装置１０を座部２の上方に支持する金属製の支持部２０とを備えている。
ブラインド装置１０は、座部２の上方に巻き取り可能且つ座部２の上方から繰り出し可能に設けられ繰り出されて座部２の上方から背もたれ部３のある後側を覆うことのできるシート状のブラインド１１を有している。また、ブラインド装置１０は、図３及び図４に示すように、座部２の長手方向に沿う軸線を有して座部２の上方に回転可能に保持され一方向へ回転させられてブラインド１１を巻き取り、他方向へ回転させられてブラインド１１を繰り出す回転軸１２と、回転軸１２を回転可能に保持する保持部１３と、回転軸１２を回転させるとともに所望の回転位置で停止可能な回転機構１４とを備えて構成されている。
【００２５】
回転機構１４は、回転軸１２を一方向に常時付勢するスプリング１５と、ブラインド１１の先端縁を引っ張ることによりスプリング１５の付勢力に抗して回転軸１２の他方向への回転を許容するとともに、回転軸１２をブラインド１１が繰り出された所望の回転位置で停止及び停止解除可能にするクラッチ機構１６とを備えて構成されている。また、ブラインド１１の先端縁には軸方向に平行なロッド１７が設けられており、ロッド１７にはブラインド１１を引っ張って繰り出すための紐１８が設けられている。即ち、回転機構１４は、所謂プルコード式として周知の機構であり、紐１８を引っ張ることでブラインド１１を引っ張り出した位置で固定させたり、引っ張り出した位置からさらに紐１８を引っ張ることで、固定を解除してブラインド１１を回転軸１２に自動的に巻き取らせたりすることが可能である。
【００２６】
支持部２０は、図１乃至図８に示すように、ブラインド装置１０の回転軸１２，回転軸１２に巻き取られたブラインド１１，保持部１３及び回転機構１４を収納する円筒状のケース２１を備えている。ケース２１は、図３及び図４に示すように、座部２の長手方向に沿う軸線を有して座部２の上方に設けられ、ブラインド１１の回転軸１２に対する繰り出し巻き取り時にブラインド１１の通過を許容しロッド１７の外側から内側への通過を不能にするスリット２２を有している。ブラインド装置１０の保持部１３は、ボルト２３でケース２１に着脱可能に固定されている。また、ケース２１の両端部には、外端部を覆う着脱可能なキャップ２４が設けられている。
【００２７】
また、支持部２０は、図１乃至図８に示すように、ケース２１を支持する一対の支柱２５を備えて構成されている。支柱２５は、夫々、背もたれ部３よりも後側において一端部が脚部１に支持されて上側に延び、他端部にケース２１が取り付けられる取付部２６を有して、側面から見て外側に膨出するように湾曲形成されている。図３乃至図５に示すように、取付部２６は支柱２５の上端間に一体に架設された架設杆２７で構成されている。ケース２１からは左右一対の突出片２８が突設されており、この突出片２８を架設杆２７にボルト２９で着脱可能に取り付けることにより、ケース２１は、支柱２５に対して着脱可能になっている。
【００２８】
また、一対の支柱２５は、ブラインド１１の幅に対応して離間させて設けられている。図５に示すように、支柱２５の下端部から突出片３０が突設されており、この突出片３０を脚部１の立設部５の後面にボルト３１及びナット３２で着脱可能に取り付けることにより、各支柱２５は、夫々、対応する脚部１に対して着脱可能になっている。
【００２９】
更に、図１乃至図４，図６乃至図８に示すように、各支柱２５の内側には、夫々、ブラインド１１の側縁を支承してガイドするガイドフランジ４０が各支柱２５に沿って形成されている。更に、一対の支柱２５間には、繰り出されたブラインド１１を支承する横支承杆４１が、複数（実施の形態では３本）、所定間隔で架設されている。最下部の横支承杆４１は背もたれ部３の上部位置側に設けられており、この最下部の横支承杆４１には、紐１８が引き通されて紐１８をガイドするとともに紐１８を結着可能なリング状部４２が設けられている。また、一対の支柱２５間で、その中央には支柱２５と同方向に延び、横支承杆４１が固定され繰り出されたブラインド１１を支承する縦支承杆４３が設けられている。
【００３０】
従って、このベンチＢによれば、ブラインド装置１０及びこれを収納するケース２１は座部２の上方にあり、ケース２１を支持する支柱２５を背もたれ部３の後側で左右に設けたので、図２に示すように、ブラインド１１を巻き取った状態の非使用時においては、座部２前後の視界を損ねる事態を防止することができ、視界を確保することができる。また、この非使用時においては、座部２に対する日当たりを確保することができるとともに、通気性も確保することができる。
【００３１】
また、日差しが強く、日除けが必要なときは、座部２の上方のブラインド装置１０からブラインド１１を繰り出して、座部２の上方から背もたれ部３のある後側を覆うことができる。このブラインド１１の繰り出し時には、回転機構１４により、ブラインド１１を途中の適宜の繰り出し位置に位置決めすることができる。この際には、紐１８を引っ張ることで、ブラインド１１を所望の位置に位置させることができるので、操作性を向上させることができる。例えば、図１及び図６に示すように、比較的短く繰り出して、上側だけを覆うようにし、あるいは、図７に示すように、背もたれ部３の近傍まで覆うようにし、あるいはまた、図８に示すように、ブラインド１１を地面のあるところまで引出して、背もたれ部３全部を覆うこともできる。この場合、ブラインド１１は上方から下方へ向けて繰り出すので、下から上に向けて引出す場合に比較して、操作が容易になり、それだけ操作性を向上させることができる。
【００３２】
また、このブラインド１１の引き出して繰り出す際には、ブラインド１１の側縁はガイドフランジ４０により支承されてガイドされるので、この部位が撓むことがなく、ブラインド１１の移動を円滑に行わせることができるとともに、確実に座部２を覆うことができる。また、ブラインド１１は横支承杆４１及び縦支承杆４３に支承されるので、中央部分も撓むことがなく、確実に座部２を覆うことができる。
【００３３】
更にまた、最下位の横支承杆４１にはリング状部４２が設けられているので、これを利用して紐１８をガイドすることができ、ブラインド１１を繰り出しやすくすることができる。また、紐１８をリング状部４２に結着することができるので、ブラインド１１の位置決めを確実にすることができる。尚、最下位の横支承杆４１よりもブラインド１１を下げて覆うときには、紐１８をリング状部４２から外すなどすれば良い。また、紐１８は、背もたれ部３に結着するようにしても良い。
【００３４】
図１，図６乃至図８に示すブラインド１１の使用時においては、日除けができるので、快適に着座することができるようになり、子供や、幼児を伴った親が利用する場合でも、安心して着座することができる。
【００３５】
そして、ブラインド１１が不要のときには、図２に示すように、ブラインド１１を巻き取って、ケース２１に収納する。この場合、紐１８を操作して回転機構１４によりブラインド１１の停止を解除すると、回転軸１２が一方向に常時付勢されているので、ブラインド１１が巻き取られ、ケース２１内に収納される。このブラインド１１の巻き取りの際にも、ブラインド１１の側縁がガイドフランジ４０に支承されるので、この部位が撓むことがなく、ブラインド１１の移動を円滑に行わせることができる。また、ブラインド１１の非使用時には、ロッド１７及び繰り出されるブラインド１１以外のブラインド装置１０がケース２１に収納されるので、ブラインド１１や回転機構１４を、雨水から保護することができる。また、外観品質も向上させることができる。
【００３６】
そしてまた、長年の使用により、ブラインド装置１０を交換するときは、ケース２１を支柱２５から取外すとともに、ケース２１からキャップ２４を取外し、それから、ブラインド装置１０をケース２１から外し、再び、ケース２１に新しいブラインド装置１０を装着し、キャップ２４を取り付けて、このケース２１を支柱２５に取り付ける。この場合、ケース２１の支柱２５に対する着脱、及び、ブラインド装置１０のケース２１に対する着脱により、ブラインド装置１０を、交換できるので、作業性が容易になる。
【００３７】
また、ブラインド装置１０を長期間使用しないような場合には、図５に示すように、支柱２５は、脚部１に着脱可能に設けられているので、支柱２５ごと取り外して保管することができる。
【００３８】
尚、上記実施の形態において、ブラインド装置１０の回転機構１４は上述した所謂プルコード式に限定されるものではなく、例えば、回転軸１２をチェーンで回転させるチェーン式の機構や、回転軸１２をモータにより回転させる自動式の機構等であってもよく、適宜変更して差支えない。また、脚部１等の形状や大きさは上述したものに限定されないことは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００３９】
Ｂ  ベンチ
１  脚部
２  座部
３  背もたれ部
４  ベース
５  立設部
６  突出部
１０  ブラインド装置
１１  ブラインド
１２  回転軸
１３  保持部
１４  回転機構
１５  スプリング
１６  クラッチ機構
１７  ロッド
１８  紐
２０  支持部
２１  ケース
２２  スリット
２３  ボルト
２４  キャップ
２５  支柱
２６  取付部
２７  架設杆
２８  突出片
２９  ボルト
３０  突出片
３１  ボルト
３２  ナット
４０  ガイドフランジ
４１  横支承杆
４２  リング状部
４３  縦支承杆
【図１】
2018029640.tif 000003
【図２】
2018029640.tif 000004
【図３】
2018029640.tif 000005
【図４】
2018029640.tif 000006
【図５】
2018029640.tif 000007
【図６】
2018029640.tif 000008
【図７】
2018029640.tif 000009
【図８】
2018029640.tif 000010
【図９】
2018029640.tif 000011